(57)【特許請求の範囲】
【請求項１】
吸収層及び防漏層を備えた吸収性本体と、該吸収性本体の両側部それぞれから幅方向外方に延出する一対のウイング部と、該吸収性本体の肌当接面側の両側部それぞれを被覆する一対のサイド防漏部とを有する吸収性物品であって、
前記吸収性本体の前記防漏層は、通気防漏性の裏面シートから形成されており、
前記サイド防漏部及び前記ウイング部の表面層は、通気性のサイドシートから一体的に形成されており、
前記サイドシートは、幅方向縦断面視において、前記ウイング部の幅方向外側部から前記吸収性本体の両側部に亘り配設された上層と、該上層の下側に重ねられた下層とを有しており、該上層から１層領域が形成され、該上層及び該下層から２層領域が形成されており、
前記サイドシートの前記２層領域における前記下層の幅方向外側部は、前記吸収性本体と前記ウイング部との境界を跨いでおり、その状態で前記裏面シートに接合されており、
前記ウイング部の前記表面層は、前記サイドシートの前記１層領域を主体として形成されており、
前記吸収層は、液透過性の表面シート及び液保持性の吸収体からなり、該表面シートの両側縁部は、前記裏面シートから離間している吸収性物品。
【請求項２】
前記ウイング部は、前記表面層及び裏面層の積層体から構成されており、前記サイドシートは、幅方向に２つ折りにされて前記上層及び前記下層を形成しており、少なくとも前記サイド防漏部が前記２層領域から形成されている請求項１記載の吸収性物品。
【請求項３】
前記吸収性本体の前記防漏層及び前記ウイング部の前記裏面層は、前記裏面シートから一体的に形成されている請求項２記載の吸収性物品。
【請求項４】
前記サイドシートは、前記吸収性本体の両側部において下方に折り返されて前記２層領域を形成している請求項２又は３記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品には、吸収層及び防漏層を備えた吸収性本体の両側部それぞれから幅方向外方に延出する一対のウイング部を有するものがある。このようなウイング部を有する吸収性物品は、吸収性本体をショーツのクロッチ部の上面（内面）に配設し、ウイング部をクロッチ部の下面（外面）側に折り返して、ウイング部に設けられたズレ止め剤でクロッチ部に止着することにより、吸収性物品の位置ズレを防止できるようになっている。一方で、ウイング部を有する吸収性物品においては、使用後、ウイング部のズレ止め剤をショーツのクロッチ部から引き剥がす際に、ウイング部がその付け根を起点として引き裂かれて破断することがある。
【０００３】
また、吸収性物品においては、吸収性本体の両側部からの横漏れ防止性を向上させるために、吸収性本体の肌当接面側の両側部それぞれを被覆する一対のサイド防漏部を設けたものがある。このようなサイド防漏部を有する吸収性物品にウイング部を併せて設ける場合には、例えば、サイド防漏部を形成するサイドシート及び吸収性本体の防漏層を形成する裏面シートそれぞれを幅方向外方に延出させ、両シートの延出領域の積層体からウイング部を形成する構成が採用されている（特許文献１参照）。また、ウイング部は、使用時に最もムレ易いショーツのクロッチ部に止着されるものであるため、両シートを通気性材料から形成する構成も採用されている。
【０００４】
ところで、通気性の裏面シートは、通常、引き裂き強度が弱い。そこで、前述した使用後におけるウイング部の引き裂きを防止するために、ウイング部を、２つ折りにして２層構造としたサイドシートの延出領域及び裏面シートの延出領域の積層体から形成し、ウイング部の引き裂き強度を向上させることも考えられる。
【０００５】
【特許文献１】特開２０００−２１０３３０号公報
【発明の開示】
【発明が解決しようとする課題】
【０００６】
しかし、ウイング部を、２層構造としたサイドシートの延出領域及び裏面シートの延出領域の積層体から形成すると、ウイング部の引き裂き強度の向上には効果的であるが、サイドシートの２層領域の存在により、ウイング部全体としての通気性が低下し、ショーツのクロッチ部におけるムレ防止性に優れていない。
【０００７】
従って、本発明の目的は、ウイング部及びサイド防漏部を有し、ウイング部の表面層が、サイドシートの１層領域を主体として形成されている吸収性物品において、ウイング部の付け根からの引き裂き強度を確保できると共に、ウイング部の通気性に優れた吸収性物品を提供することにある。
【課題を解決するための手段】
【０００８】
本発明は、吸収層及び防漏層を備えた吸収性本体と、該吸収性本体の両側部それぞれから幅方向外方に延出する一対のウイング部と、該吸収性本体の肌当接面側の両側部それぞれを被覆する一対のサイド防漏部とを有する吸収性物品であって、前記吸収性本体の前記防漏層は、通気防漏性の裏面シートから形成されており、前記サイド防漏部及び前記ウイング部の表面層は、通気性のサイドシートから一体的に形成されており、前記サイドシートは、幅方向縦断面視において、前記ウイング部の幅方向外側部から前記吸収性本体の両側部に亘り配設された上層と、該上層の下側に重ねられた下層とを有しており、該上層から１層領域が形成され、該上層及び該下層から２層領域が形成されており、前記サイドシートの前記２層領域における前記下層の幅方向外側部は、前記吸収性本体と前記ウイング部との境界を跨いでおり、その状態で前記裏面シートに接合されており、前記ウイング部の前記表面層は、前記サイドシートの前記１層領域を主体として形成されている吸収性物品を提供することにより、上記目的を達成したものである。
【発明の効果】
【０００９】
本発明の吸収性物品によれば、ウイング部の付け根からの引き裂き強度を確保できると共に、ウイング部の通気性に優れている。
【発明を実施するための最良の形態】
【００１０】
以下、本発明を吸収性物品について、その好ましい一実施形態（第１実施形態）に基づき図面を参照しながら説明する。
本発明の実施形態の吸収性物品は、生理用ナプキン１であり、図１及び図２に示すように、吸収層１１及び防漏層１３を備えた吸収性本体１０と、吸収性本体１０の両側部それぞれから幅方向外方に延出する一対のウイング部１５，１５と、吸収性本体１０の肌当接面側の両側部それぞれを被覆する一対のサイド防漏部１８，１８とを有している。
【００１１】
尚、本明細書において、「肌当接面側」とは、吸収性本体等の各部材の表裏両側（面）のうち、着用時に着用者の肌側に配される側（面）である。また、「非肌当接面側」とは、着用時に着用者の肌側とは反対側に配される側（面）である。「長手方向」とは、吸収性物品の長手方向に沿う方向であり、「幅方向」とは、吸収性物品の幅方向に沿う方向である。
また、排泄部対向部Ａとは、図１に示すように、着用者の排泄部と対向する領域であり、本実施形態のようにウイング部１５を有する生理用ナプキン１においては、吸収性本体１０における、その両側部にウイング部１５を有する部分である。排泄部対向部Ａより前方に位置する領域を前方部Ｂといい、排泄部対向部Ａより後方に位置する領域を後方部Ｃという。
【００１２】
本実施形態の生理用ナプキン１について更に詳述する。吸収性本体１０における吸収層１１は、図１及び図２に示すように、液透過性の表面シート２及び液保持性の吸収体４からなる。吸収体４は、略長方形状に形成されている。表面シート２は、吸収体４の上面の全域を被覆している。表面シート２の前後縁部２Ｂは、略円弧状であり、吸収体４の前後縁部（図示せず）それぞれから長手方向に延出している。表面シート２の両側縁部２Ａは、長手方向に沿う直線状であり、吸収体４の両側縁部４Ａそれぞれから幅方向に若干延出しているが、裏面シート３（後述）からは離間している。
表面シート２及び吸収体４としては、生理用ナプキン等の吸収性物品において従来用いられている各種材料を特に制限なく用いることができる。
【００１３】
吸収性本体１０における防漏層１３は、図１及び図２に示すように、通気防漏性の裏面シート３から形成されており、詳細には、通気防漏性の裏面シート３における幅方向内方領域から形成されている。裏面シート３は、吸収体４の下面の全域を被覆している。裏面シート３の前後縁部（図示せず）は、略円弧状であり、吸収体４の前後縁部（図示せず）それぞれから長手方向に延出している。裏面シート３は、吸収体４の両側縁部４Ａそれぞれから幅方向に延出している。
【００１４】
裏面シート３における幅方向に延出した領域は、排泄部対向部Ａにおいては、ウイング部１５のウイング裏面層（ウイング部の裏面層）１７を形成しており（詳細は後述）、前方部Ｂ及び後方部Ｃにおいては、吸収性本体１０の周縁部１４Ａ（エンドフラップ、サイドフラップ）を形成している。吸収体４は、表面シート２と裏面シート３との間に挟まれた状態で固定されている。
【００１５】
吸収性本体１０の非肌当接面側には、詳細には、裏面シート３における前記幅方向内方領域の非肌当接面側には、吸収性本体１０とショーツのクロッチ部の上面（内面）とを止着するためのズレ止め剤（図示せず）が設けられている。
【００１６】
通気防漏性の裏面シート３としては、生理用ナプキン等の吸収性物品において従来用いられている通気防漏性の各種材料を特に制限なく用いることができ、例えば、熱可塑性樹脂に無機化合物又は有機化合物のフィラーを添加したものを、Ｔダイやサーキュラーダイから溶融押出してフィルムを形成し、次いで、斯かるフィルムを一軸又は二軸延伸して得られる透湿性を有する樹脂シート、スパンボンド不織布（Ｓ）とメルトブロー不織布（Ｍ）とが複合化された複合不織布（例えばＳＭ、ＳＭＳ、ＳＭＭＳ等）、エアスルー不織布や前記ＳＭＳ等の複合不織布と前記樹脂シートとの複合物等が挙げられる。
【００１７】
樹脂シートを用いると裏面シート３の裏面（非肌当接面側）に形成する下着固定用のズレ止め剤（図示せず）の固定性が良い点から好ましく、複合不織布を用いると通気性と柔軟性の点から好ましい。また、複合物を用いると、吸収性本体１０の裏面側（非肌当接面側）の部位とウイング部１５に所望の機能を付与することができる。
【００１８】
ウイング部１５は、図１及び図２に示すように、吸収性本体１０の両側部それぞれから幅方向外方に延出した領域で、肌当接面側のウイング表面層（ウイング部の表面層）１６及び非肌当接面側のウイング裏面層（ウイング部の裏面層）１７の積層体から構成されている。尚、吸収性本体１０とウイング部１５との境界は、図１及び図３に示すように、ウイング部１５における前方部Ｂ側の付け根１９のノッチと後方部側の付け根１９のノッチとを結ぶ直線である。
【００１９】
ウイング表面層１６は、通気性のサイドシート６における幅方向に延出した領域である１層領域６１を主体として形成されている（詳細は後述）。ウイング裏面層１７は、前述したように、裏面シート３における幅方向に延出した領域から形成されている。
ウイング部１５の非肌当接面側には、詳細には、裏面シート３における幅方向に延出した領域の非肌当接面側には、ズレ止め剤（図示せず）が設けられており、使用時にショーツのクロッチ部の下面（外面）側に折り返されて該ズレ止め剤によりクロッチ部に止着できるようになっている。
【００２０】
サイド防漏部１８は、図１及び図２に示すように、吸収性本体１０の肌当接面側の両側部それぞれを被覆する構成部位で、吸収性本体１０の肌当接面側における両側部それぞれに、吸収性本体１０の長手方向に沿ってその略全長に亘るように設けられている。サイド防漏部１８は、サイドシート６における幅方向内方領域である２層領域６２から形成されている（詳細は後述）。
【００２１】
ウイング部１５及びサイド防漏部１８について構成部材の観点から説明する。吸収性本体１０の防漏層１３及びウイング部１５のウイング裏面層１７は、図２に示すように、裏面シート３から一体的に形成されている。
【００２２】
サイド防漏部１８及びウイング部１５のウイング表面層１６は、重ならない領域ができるように、具体的には１層領域６１及び２層領域６２が形成されるように幅方向に２つ折りにされた通気性のサイドシート６から一体的に形成されている。サイドシート６は、幅方向縦断面視において、ウイング部１５の幅方向外側部から吸収性本体１０の両側部に亘り配設された上層６３と、上層６３の下側に重ねられた下層６４とを有しており、吸収性本体１０の両側部において幅方向に下方に２つに折り返されて２層領域６２を形成し、少なくともサイド防漏部１８が２層領域６２から形成されている。従って、上層６３から１層領域６１が形成され、上層６３及び下層６４から２層領域６２が形成されている。
【００２３】
サイドシート６の２層領域６２における折り返し部は、サイド防漏部１８の内側縁部１８Ａとなっており、吸収性本体１０の幅方向中央部側に直線状に形成されている。このように構成されていると、装着時に、サイド防漏部１８における内側縁部１８Ａ側が、吸収性本体１０の幅方向内方側にポケットとして開口し易い。
【００２４】
ウイング表面層１６は、サイドシート６の１層領域６１を主体として形成されている。「ウイング表面層１６は、サイドシート６の１層領域６１を主体として形成されている」とは、ウイング表面層１６の平面視面積のうち、その幅方向外側部側の８０％以上の領域が、サイドシート６における１層領域６１から構成されていることを意味する。
【００２５】
サイドシート６の２層領域６２における下層６４の幅方向外側部６４Ａは、吸収性本体１０とウイング部１５との境界を跨いでおり、その状態で裏面シート３の肌当接面側にホットメルト接着剤Ｍにより接合されている。
【００２６】
通気性のサイドシート６としては、生理用ナプキン等の吸収性物品において従来用いられている通気性の各種材料を特に制限なく用いることができ、液難透過性又は液不透過性の材料が好ましく用いられる。例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアスルー不織布等の撥水性（疎水性）不織布が挙げられる。
【００２７】
サイドシート６には、図１に示すように、生理用ナプキン１の周縁部１４において、即ち、吸収性本体１０の周縁部１４Ａ及びウイング部１５の周縁部１４Ｂにおいて、ヒートシール加工（ヒートエンボス加工）が施されている。詳述すると、サイド防漏部１８は、前方部Ｂ及び後方部Ｃにおいて、ヒートシール加工により表面シート２と共に、裏面シート３に接合されている。また、ウイング表面層１６は、ウイング部１５の周縁部１４Ｂにおいて、ヒートシール加工によりウイング裏面層１７（裏面シート３）に接合されている。
【００２８】
また、サイドシート６の１層領域６１は、図２に示すように、２層領域６２における下層６４の幅方向外側部６４Ａと連続的に、ホットメルト接着剤Ｍにより、裏面シート３の肌当接面側に接合されている。ホットメルト接着剤Ｍの塗布形態には、通気性を良好にし、ウイング部１５のズレ止め剤（図示せず）の塗布領域の一体性を維持すること（裏面シート３の破壊によるズレ止め剤の残りの防止）ができれば、特に制限はなく、例えば、スパイラル状、幅方向に延びるストライプ状、Ω状、ドット状に塗布することができる。
【００２９】
一対のサイド防漏部１８それぞれには、図１に示すように、第１接合線８１及び第２接合線８２からなる接合線８が設けられている。接合線８は、ヒートシール加工により形成されている。第１接合線８１は、吸収性本体１０における排泄部対向部Ａに設けられており、幅方向外方に凸の弧状に長手方向に延びている。第１接合線８１の長さは、ウイング部１５の基部の長さと略同じである。第２接合線８２は、吸収性本体１０の前方部Ｂ及び後方部Ｃそれぞれに設けられており、長手方向に沿ってジグザグ形状を有している。
【００３０】
両接合線８１，８２は、第２接合線８２、第１接合線８１及び第２接合線８２の順で、前方部Ｂから後方部Ｃに亘って連続している。
接合線８により、サイド防漏部１８（サイドシート６）は、吸収性本体１０の表面シート２の両側縁部２Ａの上面に接合されている。
尚、接合線８は、サイドシート６を表面シート２と共に吸収体４に固定するように形成することもできる。
【００３１】
サイド防漏部１８における内側縁部１８Ａと接合線８との間の領域は、表面シート２に接合されておらず、表面シート２との間でポケットを形成している。該ポケットは、着用時に開口し、その開口したポケットに、幅方向外方へ移動した体液を捕捉できるため、防漏性を向上させることができる。また、見た目にも、幅方向の防漏性が高いことを容易に理解できるため、着用者に安心感を与える点でも好ましい。
【００３２】
更に、接合線８は、前記ポケットで捕捉された体液がスムーズに吸収体４に吸収され、防漏性が一層向上する点で、その全体又は一部が平面視において吸収体４と重なっていることが好ましい。前記ポケットで捕捉された体液は、該ポケットの手前から奥へ移動する間に吸収体４に吸収されるか、又は該ポケットの奥に到達した後、吸収体４側に戻って吸収される。「平面視において吸収体４と重なっている」とは、接合線８の全体又は一部が、吸収体４が配されている領域内に存することを意味する。
【００３３】
吸収性本体１０の厚みは、０．５〜３．５ｍｍであることが好ましく、１．０〜２．０ｍｍであることが更に好ましい。厚みがこのような範囲に設定されていると、装着時に違和感が生じ難く、身体の前後方向に沿って更にフィットし、装着時に前記ポケットが開口し易く、横モレ防止性が一層向上するので好ましい。
【００３４】
吸収性本体１０の厚みは、以下のようにして測定することができる。
＜厚み測定方法＞
製品（吸収性物品全体）を平らな場所にシワや折れ曲がりがないように静置し、製品における吸収体が配されている領域の上面に、５ｃＮ／ｃｍ2の荷重を掛け、その状態下での厚みを測定する。製品装着時の装着圧は、身体の部位、個人差、状態（座っている／動いている）等により異なるが、股間部中央域（排泄ポイント付近）では、ショーツ等の衣類を着用する以外に外圧がない状態において、無荷重〜５ｃＮ／ｃｍ2の荷重となるため、この荷重（５ｃＮ／ｃｍ2）での測定を行なった。本発明における厚みの測定には、厚み計 PEACOCK DIAL PRIGHT GAUGES R5-C(OZAKI MFG.CO.LTD.製）を用いた。このとき、厚み計の先端部と製品との間の測定部分にプレート（厚さ５ｍｍ程度のアクリル板）を配置して、荷重が５ｃＮ／ｃｍ2となるようにプレートの大きさを調整する（プレートの形状は、円形又は正方形とする）。
【００３５】
また、ウイング部１５の付け根１９における引き裂き強度は、５００〜１０００ｃＮであることが好ましく、使用後にウイング部１５のズレ止め剤をショーツのクロッチ部から引き剥がしても、ウイング部１５の付け根１９を起点する引き裂きが生じ難いことをより確実なものにするために、６５０ｃＮ以上であることがより好ましい。
【００３６】
ウイング部１５の引き裂き強度は、以下のようにして測定する。
ＪＩＳ  Ｋ７１２８（プラスチック−フィルム及びシートの引裂強さ試験方法）に規定されたＡ法（トラウザー引裂法）を参考に、テンシロン引張試験機（株式会社エー・アンド・デイ製、ＲＴＣ−１２１０Ａ）を使用し、上下チャック間距離を５ｍｍ（試験片を挿入可能な程度の間隔）に調整したチャックの上側に製品の吸収性本体、下側にウイング部を挟み、上側のチャックに挟んだ製品の吸収性本体を一定速度５００ｍｍ／ｍｉｎで上昇させ、試験片を製品長手方向に沿って引き裂いた時の最高値（ｃＮ）を読み取る。測定は５回行い、その平均値を算出して引き裂き強度とした。
【００３７】
尚、試験片は、製品形態の吸収性物品における長手方向のウイング部の中心を基準に、前後７５ｍｍ（計１５０ｍｍ：ウイング部の付け根部分が確実に残る長さ）になるように、製品形態の吸収性物品を幅方向に裁断してサンプルとなし、更に、ウイング部の付け根部分から長手方向に１５ｍｍの長さで長手方向に切り込みを入れ、これを試験片とした。
得られた試験片を、テンシロン引張試験機の上側のチャックに製品の吸収性本体のみ挟み（ウイング部は挟まない）、下側のチャックに、切り込みを入れ下方に折り返したウイング部における折り返した部分を挟み、測定を行った。
【００３８】
本実施形態の生理用ナプキン１は、吸収性本体１０をショーツのクロッチ部（図示せず）の上面（内面）に配設し、図４に示すように、ウイング部１５をクロッチ部の下面（外面）側に折り返して、ウイング部１５に設けられたズレ止め剤でクロッチ部に止着することにより、位置ズレを防止しながら装着することができる。
【００３９】
本実施形態の生理用ナプキン１によれば、サイドシート６の２層領域６２における下層６４の幅方向外側部６４Ａが、吸収性本体１０とウイング部１５との境界を跨ぎ、その状態で裏面シート３に接合されているため、ウイング部１５の付け根１９における引き裂き強度は十分に確保されている。そのため、使用後にウイング部１５のズレ止め剤をショーツのクロッチ部から引き剥がしても、ウイング部１５の付け根１９を起点する引き裂きが生じ難い。
【００４０】
また、ウイング部１５におけるウイング表面層１６が、サイドシート６の１層領域６１を主体として形成されているため、ウイング部１５の通気性も十分に優れており、ショーツのクロッチ部におけるムレが生じ難い。
更に、サイド防漏部１８がサイドシート６における２層領域６２から形成されているため、吸収性本体１０からの横漏れ防止性が十分に優れている。
【００４１】
ウイング部１５の付け根１９のノッチ角度θ１，θ２（図３参照）が小さいと、一般的にウイング部１５が付け根１９を起点として引き裂きが発生し易いため、それを防止するために、ノッチ角度θ１，θ２は、通常、直角又は鈍角（９０度超、１８０度未満）となっている。そのため、吸収性物品におけるウイング部の形状にはデザイン状の制約があった。
しかし、本実施形態の生理用ナプキン１においては、前述の通り、ウイング部１５の引き裂き強度が高いので、ノッチ角度θ１，θ２の小さいウイング部１５を採用することができる。そのため、ウイング部１５の形状にデザイン状の制約が少なく、例えば、奇抜な形状のウイング部１５を採用することができる。
【００４２】
次に、本発明の他の実施形態(第２実施形態)について説明する。他の実施形態については、上述した第１実施形態と異なる点を主として説明し、同様の点は同一の符号を付して説明を省略する。特に説明しない点は、第１実施形態についての説明が適宜適用される。
【００４３】
図５は、本発明の吸収性物品の第２実施形態の生理用ナプキンを示している。  第２実施形態の生理用ナプキン１は、第１実施形態の生理用ナプキン１に比して、主として、サイド防漏部１８及びウイング部１５の構成が異なる。
【００４４】
詳細には、サイドシート６は、２つ折りされた１枚のシートから形成されておらず、上層６３及び下層６４がそれぞれ別のシートから形成されている。従って、サイド防漏部１８は、別のシートからなる上層６３及び下層６４が積層した２層領域６２から形成されており、その内側縁部１８Ａには、折り返し部が形成されていない。
また、裏面シート３は、吸収性本体１０から幅方向外方に、即ちウイング部１５の付け根１９から幅方向外方に若干延出しているだけである。従って、ウイング部１５は、サイドシート６を主体として形成されている。そして、裏面シート３は、ウイング部１５の付け根１９とウイング部１５の幅方向外側部の間において、サイドシート６の下層６４及び／又はサイドシート６の上層６３とホットメルト粘着剤Ｍによって固定されている。
その他の構成は、第１実施形態と同様の構成を有している。
【００４５】
第２実施形態においては、ウイング部１５がサイドシート６を主体として形成されているため、ウイング部１５における通気性がより向上している。そのため、吸収性本体１０とウイング部１５とが下着を挟んで重なる部位においても高い通気性を有している。
【００４６】
また、第１実施形態におけるサイド防漏部１８と同様に、サイド防漏部１８がサイドシート６の上層６３及び下層６４が積層した２層領域６２から形成されているが、上層６３と異なるシートを下層６４に用いることができる。そのため、サイドシート６の下層６４に、より防漏性を高めるために撥水性を高めたシートを用いたり、接合線８の固定性を向上するため、下層６４の繊維樹脂素材を代えたりすることができるほか、接合線８によって様々な模様を明瞭にするため、サイドシート６の下層６４に、嵩高としたシートを用いることができる。更に、裏面シート３の幅方向外側部の位置を、ウイング部１５のズレ止め剤の貼付位置よりも吸収性本体１０側とすることで、上記利点をより高めることができる。
【００４７】
本発明の第３実施形態の吸収性物品である生理用ナプキン１は、図６及び図７に示すように、第２実施形態の生理用ナプキン１に比して、主として、サイド防漏部１８の構成が異なる。詳細には、サイドシート６における下層６４の幅方向内側部６４Ｂが、表面シート２の両側縁部２Ａと略一致している。従って、表面シート２の上面にサイドシート６の上層６３が接合されており、サイド防漏部１８は、サイドシート６の１層領域６１（上層６３）を主体として形成されている。
その他の構成は、第２実施形態と同様の構成を有している。
【００４８】
第３実施形態によれば、第２実施形態と同様の効果が奏される他、サイド防漏部１８がサイドシート６の１層領域６１（上層６３）を主体として形成されているため、サイド防漏部１８の通気性が更に向上している。
【００４９】
本発明の吸収性物品は、前述した実施形態に制限されることなく、本発明の趣旨を逸脱しない限り適宜変更が可能である。
例えば、図８に示すように、ウイング部１５の付け根１９における周縁部１４のヒートシールを局所的に省略することができる。尚、図８における、付け根１９近傍の２点鎖線内における格子状ハッチングがない領域は、ヒートシールが省略されている領域を示す。このような構成を採用すると、付け根１９に引き裂きの起点となり易いヒートシール部が存在していないため、ウイング部１５の引き裂き強度を更に向上することができる。
【００５０】
また、図９に示すように、吸収性本体１０とウイング部１５との境界を跨ぐように、幅方向に延びるストライプ状のヒートシール部Ｓを形成し、このヒートシール部Ｓによりウイング部１５においてウイング表面層１６（サイドシート６）とウイング裏面層１７（裏面シート３）とを接合することができる。このような構成においては、ウイング表面層１６とウイング裏面層１７とを接合するホットメルト接着剤Ｍを省略することもできるが、ヒートシール部Ｓ及びホットメルト接着剤Ｍの両方を設け、ウイング部１５の引き裂き強度を一層向上させることが好ましい。
【００５１】
サイド防漏部１８は、接合線８以外の部分において、吸収性本体１０と接着剤等で接合されていてもよい。接着剤は、ホットメルト接着剤に制限されず、その塗布方法にも制限はない。
【００５２】
本発明の吸収性物品は、生理用ナプキンに制限されず、パンティライナー（おりものシート）、失禁パッド等にも適用することができる。装着される下着は、ショーツに制限されない。
【図面の簡単な説明】
【００５３】
【図１】図１は、本発明の吸収性物品の第１実施形態としての生理用ナプキンを示す平面図である。
【図２】図２は、図１に示すII−II断面図である。
【図３】図３は、図１に示す生理用ナプキンにおけるウイング部及びその近傍の排泄部対向部を示す部分拡大平面図である。
【図４】図４は、着用状態を示す斜視図（下着省略）である。
【図５】図５は、本発明の吸収性物品の第２実施形態としての生理用ナプキンを示す図で、（ａ）はウイング部及びその近傍の排泄部対向部を示す部分拡大平面図（図３対応図）、（ｂ）は（ａ）に示すＢ−Ｂ断面図（図２対応図）である。
【図６】図６は、本発明の吸収性物品の第３実施形態としての生理用ナプキンを示す平面図（図１対応図）である。
【図７】図７は、図６に示すVII−VII断面図（図２対応図）である。
【図８】図８は、ウイング部におけるヒートシール部の別の形態を示す拡大平面図（図３対応図）である。
【図９】図９は、ウイング部におけるヒートシール部の更に別の形態を示す拡大平面図（図３対応図）である。
【符号の説明】
【００５４】
１  生理用ナプキン（吸収性物品）
１０  吸収性本体
１１  吸収層
１３  防漏層
１４、１４Ａ、１４Ｂ  周縁部
１５  ウイング部
１６  （ウイング）表面層
１７  （ウイング）裏面層
１８  サイド防漏部
１８Ａ  内側縁部
１９  （ウイング部の）付け根
２  表面シート
３  裏面シート
４  吸収体
６  サイドシート
６１  １層領域
６２  ２層領域
６３  上層
６４  下層
６４Ａ  幅方向外側部
８  接合線
８１  第１接合線
８２  第２接合線
Ａ  排泄部対向部
Ｂ  前方部
Ｃ  後方部
【図１】
0004606288.tif 000002
【図２】
0004606288.tif 000003
【図３】
0004606288.tif 000004
【図４】
0004606288.tif 000005
【図５】
0004606288.tif 000006
【図６】
0004606288.tif 000007
【図７】
0004606288.tif 000008
【図８】
0004606288.tif 000009
【図９】
0004606288.tif 000010